(57)【特許請求の範囲】
【請求項１】
建物の床を支持すべく平行に離間配置された複数の根太の上に生産機器据付用のペデスタルデッキを取り付けるためのペデスタルデッキの設置構造であって、
前記根太の下面には、側方に突出するようにして水平面を形成する固定具が、所定の間隔をもって複数配置されて、該固定具の上面にアンカーボルトが固着手段により固着されるとともに、
前記ペデスタルデッキには、少なくとも一方の向かい合う辺が、隣り合う前記根太の軸線間の離間距離と同一もしくは倍数の長さを有する四角形にモジュール化された床材を、同一平面を形成するように複数連接してユニット化することにより構成され、該床材の裏面には、前記アンカーボルトと嵌合する長ナットが所定の間隔をもって複数埋設されており、
前記根太の上面に、前記床材の他方の向かい合う辺が載置されるとともに、
前記根太の両側面各々に、一方の面が前記根太より側方に突出して水平面を形成して前記床材の裏面と面どうしで接するとともに、他方の面が前記根太の側面に平行な垂直面を形成して根太の側面に面どうしで接するＬ形鋼が配置されて、
前記アンカーボルトが、前記Ｌ形鋼の一方の面を貫通し、前記床材に埋設された長ナットに締結されて、前記ペデスタルデッキが根太に固着されることを特徴とするペデスタルデッキの設置構造。
【請求項２】
請求項１に記載のペデスタルデッキの設置構造であって、
前記根太の上面には、前記床材の他方の向かい合う辺を支持する床支持部材が、所定の間隔をもって根太の長さ方向に複数配置されており、
該床支持部材がレベル調整を自在とされることを特徴とするペデスタルデッキの設置構造。
【発明の詳細な説明】
【０００１】
【発明の属する技術分野】
本発明は、根太との着脱が容易で、かつ根太との接合時における剛性が高いペデスタルデッキの設置構造に関する。
【０００２】
【従来の技術】
従来より、図４（ａ）に示すように、半導体工場や液晶工場等のクリーンルームの一般的な床構造は、構造物を構成する小梁２の上面に、所定の間隔をもって複数の根太３が離間配置され、該根太３の上面に、通気性を持たせたグレーチング床６が配置される構成を有している。このようなクリーンルーム内に、生産機器７等を設置するような場合には、生産機器７の据付用の架台であるペデスタルデッキ５を設置する必要があるが、振動の発生を抑制するため、図４（ｂ）に示すように、ペデスタルデッキ５として前記根太の上部にＲＣスラブ１８を打設していた。しかし、生産ラインの変更が生じた場合には、新たな位置にＲＣスラブ１８を打設するだけでなく、空調機能を維持するために既存のＲＣスラブ１８を撤去する必要があるため、産業廃棄物が発生するとともに、作業が繁雑で、コスト高となりやすい。
【０００３】
このような中、ＲＣスラブ１８に代わり、図５に示すように、モジュール化された床材２０ａを同一平面上に複数組み合わせ、ＰＣ鋼棒にて互いに連結しユニット化するペデスタルデッキユニット２０が検討されている。これらは、連結方法が簡便なため、ペデスタルデッキユニット２０に係る移動、組み立て及び解体が容易であるといった効果を有している。
【０００４】
【発明が解決しようとする課題】
しかし、このようなペデスタルデッキユニット２０は、根太とペデスタルデッキユニット２０を構成する床材２０ａとの間の剛性が不安定で、振動が発生しやすいとともに、振動を増幅しやすいといった課題を有している。このため、床材２０ａをユニット化するペデスタルデッキ５の特徴を損なうことなく、振動を防止できるペデスタルデッキ５の接合構造が求められている。
【０００５】
上記事情に鑑み、本発明は、着脱が容易で、かつ根太との接合時における剛性が高いペデスタルデッキの設置構造を提供することを目的としている。
【０００６】
【課題を解決するための手段】
請求項１に記載のペデスタルデッキの設置構造は、建物の床を支持すべく平行に離間配置された複数の根太の上に生産機器据付用のペデスタルデッキを取り付けるためのペデスタルデッキの設置構造であって、前記根太の下面には、側方に突出するようにして水平面を形成する固定具が、所定の間隔をもって複数配置されて、該固定具の上面にアンカーボルトが固着手段により固着されるとともに、前記ペデスタルデッキには、少なくとも一方の向かい合う辺が、隣り合う前記根太の軸線間の離間距離と同一もしくは倍数の長さを有する四角形にモジュール化された床材を、同一平面を形成するように複数連接してユニット化することにより構成され、該床材の裏面には、前記アンカーボルトと嵌合する長ナットが所定の間隔をもって複数埋設されており、前記根太の上面に、前記床材の他方の向かい合う辺が載置されるとともに、前記根太の両側面各々に、一方の面が前記根太より側方に突出して水平面を形成して前記床材の裏面と面どうしで接するとともに、他方の面が前記根太の側面に平行な垂直面を形成して根太の側面に面どうしで接するＬ形鋼が配置されて、前記アンカーボルトが、前記Ｌ形鋼の一方の面を貫通し、前記床材に埋設された長ナットに締結されて、前記ペデスタルデッキが根太に固着されることを特徴としている。
【０００７】
請求項２に記載のペデスタルデッキの設置構造は、前記根太の上面には、前記床材の他方の向かい合う辺を支持する床支持部材が、所定の間隔をもって根太の長さ方向に複数配置されており、該床支持部材がレベル調整を自在とされることを特徴としている。
【０００８】
【発明の実施の形態】
以下、本発明のペデスタルデッキの設置構造を図１から図３に示す。本発明は、クリーンルーム内の生産機器用架台となるペデスタルデッキをプレキャストコンクリート造の床材より構成されるユニットとし、根太に対して着脱可能であり、かつ接合時には根太との剛性を高める構成とするものである。
【０００９】
図１（ａ）（ｂ）に示すように、クリーンルームの床構造１は、建築物を構成する複数の小梁２と、該小梁２の上面でこれと直交する方向に、平行に離間配置された複数の根太３と、該根太３の上部に配置される床４とにより構成される。該床４には、クリーンルーム内の空調機能に対して影響の少ない、鋼材を格子状に組み合わせることにより形成されるグレーチング床６が一般に用いられており、ほぼ全面に敷設されているが、生産機器７を設置したい位置には、これに代わりペデスタルデッキ５が敷設されている。
【００１０】
図１（ｂ）に示すように、該ペデスタルデッキ５は、生産機器７の据付用架台として設置されるもので、正方形の床材８を前記根太３に平行なｘ方向、及びこれと直交するｙ方向に複数連接して、ユニット化することにより形成されている。該床材８は、その平面形状が隣り合う前記根太３の軸線間から見た配置距離ｔ1と等しい１辺を有する正方形のプレキャストコンクリート造よりなるものである。なお、床材８は、正方形に限るものではなく、少なくともｙ方向に配置される一方の向かい合う辺が隣り合う前記根太３の軸線間から見た配置距離ｔ1と同一、もしくはこれの倍数となる長さを有していれば、長方形に成形されても良い。
【００１１】
図２にクリーンルームの床構造１のｙ方向の側面図を示す。前記床材８の裏面８ｃには、ｘ方向に平行な他方の向かい合う辺に、前記根太３と比較して略半分程度の幅を有する脚部８ａが設けられている。該脚部８ａの底部には、平板状の鋼材よりなる設置プレート８ｂが埋設されている。これは、前記根太３の上面に配置される際に、後に述べる床支持部材１３上に載置されるが、該床支持部材１３との接地面を、床材８のコンクリートの仕上がり面に影響されない平滑面に形成することを目的とするものである。また、図３に示すように、床材８の裏面８ｃで、脚部８ａの内方には、所定の間隔に位置決めされた４箇所に長ナット１２ａが埋設されている。該長ナット１２ａは、後に詳述する前記根太３に設けられるアンカーボルト１２に締結されることとなる。
【００１２】
図３に示す前記床材８の平面図を見ると、該床材８の内方には、中心点を通過するとともに各辺に直交する２方向にシース管９が埋設されている。隣り合う床材８どうしは、ｘ方向、及びｙ方向に各々のシース管９が連続されており、これに緊張材１１としてＰＣ鋼棒が貫通されるとともに、該緊張材１１が緊張された状態で両端部を固定手段により固定されることによりユニット化されて、前記ペデスタルデッキ５が構成されることとなる。なお、緊張材１１は、ＰＣ鋼棒に限ることなく、隣り合う床材８どうしを緊結でき、かつユニット化した床材８を容易に分解できる部材であれば、ＰＣ鋼線等何れを用いてもよい。
【００１３】
このように前記ペデスタルデッキ５は、その大きさが隣り合う前記根太３の軸線間から見た配置距離ｔ1と等しい１辺を有する正方形にモジュール化された床材８を、ｘ方向、及びｙ方向の何れの方向にも自在に連接してユニット化することにより形成されるため、ペデスタルデッキ５の大きさを自在に変更できるものである。また、ユニット化されたペデスタルデッキ５は、前記緊張材１１の緊結を弛めることで床材８に分解することも容易に行うことのできる構成となっている。なお、床材８を一方の向かい合う辺が隣り合う前記根太３の軸線間から見た配置距離ｔ1の倍数となる長さを有する長方形に成形した場合には、一方の向かい合う辺がつねにｙ方向に位置するように連接すればよい。
【００１４】
ところで、上述する構成のペデスタルデッキ５が載置される前記根太３は、図２に示すように、複数の鋼板を組み合わせて形成された根太型枠１５と、該根太型枠１５の内方に充填されたコンクリート１６とによる鋼板型枠コンクリート造により構成されている。該根太型枠１５は、底部鋼板１５ａと対をなす側部鋼板１５ｂにより構成されており、前記底部鋼板１５ａは、根太型枠１５の底部に配置されて、断面がコの字型の溝状の外形を有している。
【００１５】
一方、対をなす前記側部鋼板１５ｂも、断面がコの字型の溝状の外形を有しており、前記底部鋼板１５ａの内方で、互いに開口を向かい合わせるように配置されている。これらは、対をなす側部鋼板１５ｂの外周面と底部鋼板１５ａの内周面が接するようにして組み合わせることにより、上部に開口部を有する直方体の前記根太型枠１５が形成される。
【００１６】
前記根太３は、上述する根太型枠１５の内方に前記コンクリート１６が充填されることにより形成されるが、該コンクリート１６が前記根太型枠１５に拘束されるため、優れた剛性を有する構成となる。なお、該根太３は、前記根太型枠１５がせん断補強筋の機能を有するため、内方への配筋が不要である。
【００１７】
このような構成の該根太３の上面には、前記ペデスタルデッキ５を構成する床材８の脚部８ａを支持する床支持部材１３が固着されている。該床支持部材１３は、前記根太３の開口部を覆うように固着された鋼材よりなる平板１５ｃに、底部を溶接等の固着手段により固着されたナット１４ａと、これに嵌合する天端が平らなレベルボルト１４により形成されている。これは、ペデスタルデッキ５を構成する床材８における脚部８ａの水平レベルが、個々の床材８で微小に異なる場合にも、前記ペデスタルデッキ５を構成する全ての床材８の脚部８ａが、浮き上がることなく床支持部材１３に支持されることを目的に、該レベルボルト１４を回転させて床支持部材１３の高さを自在に調整するものである。
【００１８】
該床支持部材１３は、図３に示すように、隣り合う前記根太３の上面でｙ方向軸と平行となる位置に対をなして設けられた床支持部材１３ａどうしが、前記床材８の対をなす脚部８ａにおける両者の一方の側部を支持するとともに、前記根太３の長さ方向にも隣り合う前記根太３の上面でｙ方向軸と平行となるように対をなして床支持部材１３ｂが設けられており、該床支持部材１３ｂどうしが、前記床材８の脚部８ａ両者の他方の側部を支持する構成となっている。つまり、前記ペデスタルデッキ５が配置される位置の前記根太３の上面には、前記ペデスタルデッキ５を構成する複数の床材８各々に対して、脚部８ａの両端部近傍と鉛直方向と同軸となる位置に、床支持部材１３ａ、１３ｂの４個が１組となって配置されており、前記床材８を支持することとなる。
【００１９】
また、図２に示すように、前記根太３の下端部には、直交する側方に突出して水平面を形成するように、溝型鋼よりなる固定具３ａが開口を下方に向けて固着手段を介して固着されている。該固定具３ａには、前記床材８の裏面８ｃに埋設された長ナット１２ａと鉛直方向で同軸の位置にアンカーボルト１２が固着手段を介して固着されている。該アンカーボルト１２が、前記床材８の長ナット１２ａに嵌合されてペデスタルデッキ５を構成する床材８と根太３とは剛に結合されることとなる。
【００２０】
上述する前記ペデスタルデッキ５、および根太３を用いたペデスタルデッキ５の設置構造を以下に示す。
図１（ｂ）に示すように、ｘ方向及びｙ方向に複数配置された前記床材８は、ｘ方向及びｙ方向に各々連続する前記シース管９の内方に、前記緊張材１１が各々貫通された状態で緊結されて、所望の面積を有する前記ペデスタルデッキ５が形成されている。このとき、前記床材８の脚部８ａは、全てｘ方向に平行となるように配置されている。
【００２１】
図２に示すように、該ペデスタルデッキ５は、前記根太３の上部において、前記ペデスタルデッキ５を構成する床材８の脚部８ａの設置プレート８ｂが、前記根太３の上面に設けられた前記床支持部材１３上に位置するように載置されるが、床材８の裏面８ｃに設けられた長ナット１２ａが、前記根太３に設けられたアンカーボルト１２と鉛直軸方向で同軸に位置するように位置決めされる。このようにして、前記根太３の上部に配置されたペデスタルデッキ５は、前記固定具３ａに設けられた前記アンカーボルト１２が、前記床材８の長ナット１２ａに締結されて前記根太３に結合される。
【００２２】
このとき、図２に示すように、前記床材８の裏面８ｃには、Ｌ形鋼１７が取り付けられている。該Ｌ形鋼１７は、断面がＬ字型の形鋼よりなり、他方の板１７ｂが根太３の側面に平行な垂直面を形成し、根太３の側面と面どうしで接するように配置されるとともに、一方の板１７ａが、前記根太３より上方で、かつ根太３から側方に突出して水平面を形成し、前記床材８の裏面８ｃと面どうしで接するように配置されている。このようなＬ形鋼１７は、該一方の板１７ａに、前記アンカーボルト１２が貫通する孔１７ｃが設けられており、アンカーボルト１２を介して前記床材８の裏面８ｃに固定される。
【００２３】
該Ｌ形鋼１７は、隣り合う前記根太３の向かい合う側面に対をなして配置されており、両者の一方の板１７ａが、同じく隣り合う根太３に支持される床材８の裏面８ｃに、各々アンカーボルト１２を介して固定されているため、地震等により前記ペデスタルデッキ５に大きな水平力が作用した際にも、Ｌ形鋼１７の他方の板１７ｂが根太３の側面に拘束されて、個々の床材８は水平方向に移動することなく、所定位置に固定されるものである。
【００２４】
なお、前記ペデスタルデッキ５と根太３との水平方向の接合剛性を高めることを目的に、図２に示すように、床支持部材１３を埋設するようにして、対をなすＬ形鋼１７の内方に、モルタル等の充填材１０を充填してもよい。
【００２５】
また、前記根太３に接合されたペデスタルデッキ５は、図３に示すように、隣り合う床材８との間に形成される目地、前記Ｌ形鋼１７と床材８の裏面８ｃとの間等、部材同士の接合部全般に対して、一般に行われる目地シール１９がなされている。
【００２６】
上述する構成によれば、前記ペデスタルデッキ５は、ペデスタルデッキを構成する複数の床材８各々が、前記アンカーボルト１２を介して根太３に固着されるとともに、Ｌ形鋼１７を介して前記根太３に水平方向の移動を拘束されることから、ペデスタルデッキ５に、鉛直方向だけでなく水平方向の力が作用した際にも、床材８自身が根太３にゆるみなく剛に連結されるため、ペデスタルデッキ５の着脱が容易で施工性が良いといった特徴を損なうことなく、クリーンルームの床構造に対して安定したペデスタルデッキ５を構成することが可能となる。
【００２７】
前記床支持部材１３が高さ調整可能に形成されていることから、前記ペデスタルデッキ５を構成する複数の床材８が、緊張材１１により連結された際に、個々で微小な水平レベルの差異が生じた際にも、全ての床材８を確実に床支持部材１３に支持させることが可能となるため、前記ペデスタルデッキ５と根太３との間に浮きやゆるみが生じることなく、振動を生じさせることがないとともに、振動の増幅も抑えることが可能となる。
【００２８】
【発明の効果】
請求項１に記載のペデスタルデッキの設置構造によれば、建物の床を支持すべく平行に離間配置された複数の根太の上に生産機器据付用のペデスタルデッキを取り付けるためのペデスタルデッキの設置構造であって、前記根太の下面には、側方に突出するようにして水平面を形成する固定具が、所定の間隔をもって複数配置されて、該固定具の上面にアンカーボルトが固着手段により固着されるとともに、前記ペデスタルデッキには、少なくとも一方の向かい合う辺が、隣り合う前記根太の軸線間の離間距離と同一もしくは倍数の長さを有する四角形にモジュール化された床材を、同一平面を形成するように複数連接してユニット化することにより構成され、該床材の裏面には、前記アンカーボルトと嵌合する長ナットが所定の間隔をもって複数埋設されており、前記根太の上面に、前記床材の他方の向かい合う辺が載置されるとともに、前記根太の両側面各々に、一方の面が前記根太より側方に突出して水平面を形成して前記床材の裏面と面どうしで接するとともに、他方の面が前記根太の側面に平行な垂直面を形成して根太の側面に面どうしで接するＬ形鋼が配置されて、前記アンカーボルトが、前記Ｌ形鋼の一方の面を貫通し、前記床材に埋設された長ナットに締結されて、前記ペデスタルデッキが根太に固着されることから、ペデスタルデッキに、鉛直方向だけでなく水平方向の力が作用した際にも、床材自身が根太にゆるみなく剛に連結されるため、ペデスタルデッキの着脱が容易で施工性が良いといった特徴を損なうことなく、クリーンルームの床構造に対して安定したペデスタルデッキを構成することが可能となる。
【００２９】
請求項２に記載のペデスタルデッキの設置構造によれば、前記根太の上面には、前記床材の他方の向かい合う辺を支持する床支持部材が、所定の間隔をもって根太の長さ方向に複数配置されており、該床支持部材がレベル調整を自在とされることから、前記ペデスタルデッキを構成する複数の床材が、緊張材により連結された際に、個々で微小な水平レベルの差異が生じた際にも、全ての床材を確実に床支持部材に支持させることが可能となるため、前記ペデスタルデッキと根太との間に浮きやゆるみが生じることなく、振動を生じさせることがないとともに、振動の増幅も抑えることが可能となる。
【図面の簡単な説明】
【図１】  本発明に係るクリーンルームのペデスタルデッキの概略を示す図である。
【図２】  本発明に係る床材のｙ方向の側面を示す図である。
【図３】  本発明に係る床材の平面を示す図である。
【図４】  従来のクリーンルームのペデスタルデッキの概略を示す図である。
【図５】  従来のクリーンルームのペデスタルデッキの概略を示す図である。
【符号の説明】
１  床構造
２  小梁
３  根太
３ａ  固定具
４  床
５  ペデスタルデッキ
６  グレーチング床
７  生産機器
８  床材
８ａ  脚部
８ｂ  設置プレート
８ｃ  裏面
９  シーズ管
１０  充填材
１１  緊張材
１２  アンカー
１２ａ  長ナット
１３  床支持部材
１３ａ  床支持部材
１３ｂ  床支持部材
１４  レベルボルト
１４ａ  ナット
１５  根太型枠
１５ａ  底部鋼板
１５ｂ  側部鋼板
１６  コンクリート
１７  Ｌ形鋼
１７ａ  一方の板
１７ｂ  他方の板
１７ｃ  孔
１８  ＲＣスラブ
１９  目地シール
２０  ペデスタルデッキユニット
【図１】
0003845839.tif 000002
【図２】
0003845839.tif 000003
【図３】
0003845839.tif 000004
【図４】
0003845839.tif 000005
【図５】
0003845839.tif 000006